(57)【要約】【課題】  住宅建物内のハウスダストの飛散状態を容易に把握でき、その状態を印象づけることができる室内環境展示装置を提供する。【解決手段】  一面に視認窓２１が設けられた展示室２と、展示室２内の一面から、展示室２内に光の柱を形成する光源３と、展示室２内に設けられ、展示室２内にハウスダストを発生させる発生装置４と、展示室２内のハウスダストを排気する換気装置５と、装置全体を制御する制御装置６とを具備し、制御装置６は、展示室２の外に設けられたボタン６１を操作することによって起動し、発生装置４によって展示室２内にハウスダストを発生させ、そのハウスダストが展示室２内に形成された光の柱によって視認し易い状態にするとともに、その後換気装置５を作動させて展示室２内のハウスダストを排除する様子を視認できるようになされた室内環境展示装置１である。【選択図】  図１
2005202142.tif 000002
【特許請求の範囲】
【請求項１】
少なくとも一面に透明板が設けられた展示室と、展示室内の一面から、展示室内に光の柱を形成するようになされた光源と、展示室内に設けられ、展示室内にハウスダストを発生させる発生装置と、展示室内のハウスダストを排気する換気装置と、装置全体を制御する制御装置とを具備し、
制御装置は、展示室の外に設けられたボタンを操作することによって起動し、発生装置によって展示室内にハウスダストを発生させ、そのハウスダストが展示室内に形成された光の柱によって視認し易い状態にするとともに、その後換気装置を作動させて展示室内のハウスダストを排除する様子を視認できるようになされたことを特徴とする室内環境展示装置。
【発明の詳細な説明】
【技術分野】
【０００１】
本発明は、住宅建物における室内環境を判り易く展示するための装置に関するものである。
【背景技術】
【０００２】
従来より、断熱性と気密性に優れた住宅建物において、住宅建物内に換気装置を設け、計画換気を行う換気構造が提案されている。
【０００３】
この換気構造は、住宅建物内において、居住空間に生じる空気環境汚染の発生源を排除したり、温度差の無い快適な居住環境を構成したりするために設けられていた。
【０００４】
この場合、気密性に優れた住宅建物内においては、ハウスダストなどの空気環境汚染の発生源が常時飛散しているといったことは、住宅建物のカタログに紹介したり、展示住宅に訪れた購入予定者に、口頭で説明したりしていた。そして、この説明によって、換気構造の重要性を理解してもらっていた。
【発明の開示】
【発明が解決しようとする課題】
【０００５】
しかし、このような住宅建物内を飛散しているハウスダストは、普段目に見えないものであり、臭いなどもしないため、誰にでも判るように容易に説明することができず、住みはじめてもその存在に気付くことが無く、容易に理解してもらうことができない。したがって、換気構造によるハウスダスト対策について説明しても、購入予定者の関心を引くことができず、換気構造の重要性を容易に説明することができないこととなり、かつ、容易に理解してもらうこともできないといった不都合を生じることとなる。
【０００６】
また、住宅建物内のハウスダストについて、カタログに紹介したり、口頭で説明したりする場合、説明に時間がかかって煩わしくなる。
【０００７】
さらに、カタログの紹介や口頭での説明の場合、単に住宅建物内でハウスダストが飛散しているといった程度の理解にとどまり、それに対処する換気構造を設けることの重要性を印象づけることができないといった不都合を生じることとなる。
【０００８】
本発明は、係る実情に鑑みてなされたものであって、住宅建物内のハウスダストの飛散状態を容易に把握でき、その状態を印象づけることができる室内環境展示装置を提供することを目的としている。
【課題を解決するための手段】
【０００９】
上記課題を解決するための本発明の室内環境展示装置は、少なくとも一面に透明板が設けられた展示室と、展示室内の一面から、展示室内に光の柱を形成するようになされた光源と、展示室内に設けられ、展示室内にハウスダストを発生させる発生装置と、展示室内のハウスダストを排気する換気装置と、装置全体を制御する制御装置とを具備し、制御装置は、展示室の外に設けられたボタンを操作することによって起動し、発生装置によって展示室内にハウスダストを発生させ、そのハウスダストが展示室内に形成された光の柱によって視認し易い状態にするとともに、その後換気装置を作動させて展示室内のハウスダストを排除する様子を視認できるようになされたものである。
【発明の効果】
【００１０】
以上述べたように、本発明によれば、ボタンを操作することによって、発生装置によって展示室内にハウスダストを発生させ、そのハウスダストが展示室内に形成された光の柱によって視認し易い状態とすることで、住宅建物内におけるハウスダストの発生状況を説明することができる。そして、その後換気装置を作動させて展示室内のハウスダストを排除する様子を視認できるようにすることで、住宅建物内における換気構造の重要性を説明することができる。
【発明を実施するための最良の形態】
【００１１】
以下、本発明の実施の形態を図面を参照して説明する。
【００１２】
図１ないし図４は室内環境展示装置１の全体構成の概略を示している。
【００１３】
すなわち、この室内環境展示装置１は、室内を模した展示室２と、展示室２内に光の柱を形成する光源３と、展示室２内にハウスダストを発生させる発生装置４と、展示室２内のハウスダストを排除する換気装置５と、ボタン６０の操作によって全体を制御する制御装置６とを具備している。
【００１４】
展示室２は、居室を模して幅約２．２ｍ、高さ約１．１ｍ、奥行き約９５０ｍｍの直方体形状に形成され、正面が開口している。この展示室２は、幅約３ｍ、高さ約１．５ｍ、奥行き約１ｍの直方体形状に形成された展示装置本体２ａ内に設けられる。展示装置本体２ａの正面には、展示室２の正面の開口の大きさに相当する透明の樹脂板が設けられて視認窓２１が形成されている。展示室２の外側の上部両側と下部片側の三箇所にはプーリー２２が設けられ、これらプーリー２２間にはピアノ線２３が架け渡されている。このピアノ線２３には、天使を模した模型２４が設けられており、この模型２４は、プーリー２２の駆動によってピアノ線２３が送られることで、展示室２の一側下部の位置から他側上部の位置へと移動して展示室２内を天使が飛んでいるように見せることができるようになされている。
【００１５】
展示室２の外側の下部片側のプーリー２２は、このプーリー２２のさらに下側に設けられたモータ２５との間がベルト２６によって連結されており、このモータ２５からの回転がベルト２６によって駆動伝達されることで駆動し、ピアノ線２３を送ることができるようになされている。この際、ピアノ線２３を滑ることなく送ることができるように、展示室２の外側の上部片側のプーリー２２には、シリンダ２７が設けられ、プーリー２２間に架け渡されたピアノ線２３のテンションを保つことができるようになされている。なお、展示室２は、プーリー２２によってピアノ線２３を送ることにより移動する模型２４の動きと緩衝しないように、ピアノ線２３および模型２４の通過位置が切り欠かれている。この展示装置本体２ａは、幅約３ｍ、高さ約９０ｃｍの基台２０の上に載置される。
【００１６】
光源３は、展示装置本体２ａ内の下部中央の位置に配置され、展示室２の中央床面に面して、約８００ｍｍの間隔を存して二箇所に設けられる。これらの光源３から発する光は、この展示室２の床面から天井面に向けて二本の光の柱を形成するビーム状の光を形成するようになされている。したがって、これら光源３の光が到達する展示室２の天井面には、到達した光が反射して展示室２内全体が明るくならないように、光を逃がす開口部２８が形成されている。この光源３としては、ブラックライトが用いられる。
【００１７】
発生装置４は、展示室２内の上記光源３の間に位置する中央床面上に設けられる。この発生装置４は、一辺が約１０ｃｍ四方に形成され、内部に綿が詰められたクッション４１と、モータ４０によって駆動してクッション４１を叩くようになされた模型４２とからなる。この発生装置４は、展示室２の中央床面後方に設けられたモータ（図示省略）の駆動によって、悪魔を模した模型４２が、展示室２の中央床面上の位置でクッション４１を叩くことによって、展示室２内にクッション４１の綿埃を発生させるようになされている。
【００１８】
換気装置５は、展示装置本体２ａ内の上部中央の位置に配置され、展示室２の天井面に面して設けられる。この換気装置５は、展示室２の天井面に設けられた開口部２８に隣接してそれぞれ二個が設けられ、展示室２内に発生した綿埃を展示室２の外部に排出することができるようになされている。この換気装置５としては、換気扇が用いられる。
【００１９】
制御装置６は、光源３、発生装置４、および換気装置５を制御するようになされたもので、展示装置本体２ａの正面の視認窓２１の横に設けられたスタートボタン６０を押すことによって、これら光源３、発生装置４、および換気装置５を起動させて制御を開始するようになされている。制御装置６の本体となる制御盤は、展示装置本体２ａを設けた基台２０内に設けられている。
【００２０】
この制御装置６による制御は、次のようにして行われる。
【００２１】
まず、スタートボタン６０を押すと、光源３が点灯し、展示室２内の中央に二本の光の柱が形成される。
【００２２】
ついで、発生装置４が作動して悪魔を模した模型４２がクッション４１を叩いて展示室２内に綿埃を発生させる。この発生した綿埃は、光源３によって形成される光の柱の部分において容易に視認できることとなる。
【００２３】
発生装置４によって発生した綿埃を視認するだけの充分な時間を置いた後、引き続いて換気装置５が作動する。換気装置５は、発生装置４によって展示室２内に発生した綿埃を外部に排出するため、光源３によって形成される光の柱の部分において綿埃が消えていく様子が確認できる。
【００２４】
この換気装置５によって展示室２内の綿埃が消えて行くのと同時にモーター２５によるプーリー２２の駆動でピアノ線２３が送られ、天使を模した模型２４が展示室２の一側下部から他側上部へと移動し、展示室２内が綺麗に換気されたことを知らせる。
【００２５】
なお、制御装置６による制御は、この一連の制御に合わせて音楽がなるように音楽を流すようにしたものであってもよい。
【００２６】
このようにして構成される室内環境展示装置１は、住宅展示棟内に設置される。
【００２７】
住宅展示棟に見学者が訪れた場合に、この室内環境展示装置１の前へ導いて居住空間におけるハウスダストなどの空気環境汚染について説明する。この際、普段目にすることが困難なハウスダストを、容易に見せることで、居住空間におけるハウスダストの存在を知らせ、住宅建物内に換気構造が必要であることを強烈にアピールすることができる。また、ハウスダストを視認できる形で見せることができるので、見学者に容易に説明することができるとともに、容易に理解してもらえることとなる。
【００２８】
このようなハウスダストは、ハウスダスト自体が目視できないものであり、臭いも無いため、実際に居住し始めても安易に考えがちであるが、目視できる状態で実際のハウスダストを見せることで、居住空間で起こっている状況をより現実的な状態に再現して説明することができる。
【００２９】
なお、この室内環境展示装置１は、光源３によって形成される光の柱の部分において綿埃を見せるように構成されているため、この室内環境展示装置１を設置した場所自体が明る過ぎると、光源３による光の柱を形成することができなくなる。したがって、住宅展示棟内において、室内環境展示装置１は、暗くできるように扉や暗幕７で仕切られた状態で設置される。
【００３０】
本実施の形態において、光源３は、展示室２の底面から天井面に向けて光の柱を形成するようになされているが、展示室２の天井面から底面に向けて光の柱を形成するようになされたものであってもよいし、一方の側壁から他方の側壁に向けて水平方向に光の柱を形成するようになされたものであってもよいし、この光の柱が斜めに傾いたものであってもよい。また、抗原は、綿埃を見やすくするものであればブラックライト以外のものを用いるものであってよい。
【００３１】
また、本実施の形態において、換気装置５は、換気扇によって構成されているが、静電気の帯電によって綿埃を集塵することができるようになった空気清浄機を用いてもよい。また、換気装置５による綿埃の集塵効率を向上させるために、展示室２内の空気を攪拌するファン（図示省略）などを設けてもよい。
【００３２】
さらに、本実施の形態において、展示室２は、正面の視認窓２１から覗き込むように形成されているが、二面以上が透明の樹脂板で形成されてこれら二面以上から展示室２内を覗き込むことができるようになされたものであってもよい。
【産業上の利用可能性】
【００３３】
住宅建物の構造説明および販売促進を図る装置として利用できる。
【図面の簡単な説明】
【００３４】
【図１】本発明に係る室内環境展示装置の全体構成の概略を示す斜視図である。
【図２】室内環境展示装置の内部構成の概略を示す正面図である。
【図３】室内環境展示装置の内部構成の概略を示す側断面図である。
【符号の説明】
【００３５】
１  室内環境展示装置
２  展示室
３  光源
４  発生装置
５  換気装置
６  制御装置
６１  スタートボタン
【図１】
2005202142.tif 000003
【図２】
2005202142.tif 000004
【図３】
2005202142.tif 000005